(57)【要約】  本開示は全体的に、改善された取付けアセンブリに関する。全体的に取付け装置は、カバープレート、フレーム（少なくともその一部はカバープレートに隣接する）、及びカバープレートに装着可能である付属物を含む。フレームは概ね水平である上部及び底部部分又は部材を含み、カバープレートがフレームに装着され、壁又は垂直面に装着されるとき、上部及び底部部材は、カバープレートのフレームに対する横方向の動きを協働して制限又は防止する。概ね水平である底部及び上部部分又は部材の存在により、取付けアセンブリが壁上のバックプレートから単一ステップで取外せることによって、取付けアセンブリを壁又は他の垂直面に、より迅速かつより簡単に適用し、取外すことが容易になる。
2018521273.tif 000002
【特許請求の範囲】
【請求項１】
取付けアセンブリであって、
前面及び後面を有するカバープレートであって、
前記カバープレートの前記前面は、付属物を前記カバープレートに装着できる装着装置を含み、
前記カバープレートの前記後面は、摺動させてバックプレートに嵌め込む（又は別の方法で装着する）ことが可能であるカバープレートと、
底部部材及び上部部材を有するフレームであって、前記カバープレートがフレーム内にあり、かつ壁に装着又は接着されているときに、前記底部部材及び前記上部部材が前記カバープレートの前記フレームに対する横方向の動きを協働して制限又は防止するように、前記底部部材及び前記上部部材の両方が前記カバープレートの少なくとも一部に近接している、フレームと、
前記バックプレートを前記壁に接着することができる接着ストリップと、を備える取付けアセンブリ。
【請求項２】
前記付属物が、家庭用品、装飾品、道具、及び／又は他の装置若しくは物品のうちの少なくとも１つである、請求項１に記載の取付けアセンブリ。
【請求項３】
前記フレームが、両側にある側部部材を含む、請求項１又は２に記載の取付けアセンブリ。
【請求項４】
前記フレームが、両側にある第１及び第２の側部部材を含む、請求項１から３のいずれか一項に記載の取付けアセンブリ。
【請求項５】
両側にある前記上部部材及び前記底部部材の各々が、前記両側にある側部部材の各々と概ね垂直に連結している、請求項４に記載の取付けアセンブリ。
【請求項６】
前記装着装置がフックである、請求項１から５のいずれか一項に記載の取付けアセンブリ。
【請求項７】
前記付属物が前記装着装置に嵌め込まれる、請求項１から６のいずれか一項に記載の取付けアセンブリ。
【請求項８】
前記接着ストリップが両側接着ストリップである、請求項１から７のいずれか一項に記載の取付けアセンブリ。
【請求項９】
前記接着ストリップが引張剥離接着ストリップである、請求項１から８のいずれか一項に記載の取付けアセンブリ。
【請求項１０】
前記接着ストリップがタブを含む、請求項９に記載の取付け装置。
【発明の詳細な説明】
【技術分野】
【０００１】
本開示は全体的に、改良された取付けアセンブリに関する。
【背景技術】
【０００２】
両面接着テープ（すなわち両側の主表面に接着剤が付いているテープ）は広く知られており、物品を面に装着するために使用される。例えば引張剥離接着テープは、様々な組立て、接合、装着、及び取付けの用途で使用されている。市販の両側引張剥離接着製品の１つの例に、３Ｍ社によるＣＯＭＭＡＮＤ（登録商標）ストリップがある。これらの両側引張剥離接着製品は、フック、クリップ、ハンガーなどを有する物品支持装置に装着することができる。それによって家庭用品、装飾品、道具、及び様々な他の物品（総じて付属物と称する）を、引っ掛ける、留める、吊るす、又は他の方法で支持装置に装着することができる。このようなアセンブリの例が、例えば米国特許第７，８０２，７６６号、同第８，０２０，８２０号、及び同第８，８１４，１１２号に記載されている。
【０００３】
引張剥離接着テープを使用する物品支持装置は、多くの場合、引張剥離接着テープに装着されるように構成された平面的な表面を備える基部を、支持本体と共に備え、支持本体は、物品支持部材を備え、かつ基部に取外し可能に取付け可能であり、そのため、取付け表面から装置を取外したいとき、引張剥離接着剤にアクセスしてそれを機能させるために、本体は基部から分離できるようになっている。
【０００４】
装着又は取付けアセンブリ１の１つの特定の例が、図１に示される。図１では、バスキャディ１０が、結合プレート２０、１２０、取付けプレート４０、１４０、及び接着ストリップ６０、１６０を含む装着システムによって、２つの垂直壁８０、１８０に装着されている。接着ストリップ６０、１６０は、取付けプレート４０、１４０を壁８０、１８０に接着する。取付けプレート４０、１４０及び結合プレート２０、１２０は互いにしっかりと接続又は装着し、結合プレート２０、１２０は、バスキャディ１０と接続するか、装着するか、又はバスキャディ１０に形成される。装着アセンブリ１の全体によって、バスキャディ１０を壁に又は２つの壁８０、１８０の間の角に、吊るすか、又は取付けることができる。
【発明の概要】
【０００５】
本開示のいくつかの実施形態は、前面及び後面を有するカバープレートであって、カバープレートの前面は、付属物をカバープレートに装着できる取付け装置を含み、カバープレートの後面は、摺動させてバックプレートに嵌め込む（又は他の方法で装着する）ことが可能である、カバープレートと、底部部材及び上部部材を有するフレームであって、カバープレートがフレーム内にあり、かつ垂直面に装着又は接着されているときに、部材及び上部部材がカバープレートのフレームに対する横方向の動きを制限又は防止するように、底部部材及び上部部材の各々がカバープレートの少なくとも一部に近接しているフレームと、バックプレートを垂直面に接着することができる接着ストリップと、を備える取付けアセンブリに関する。
【０００６】
いくつかの実施形態において、付属物は、家庭用品、装飾品、道具、及び／又は別の装置若しくは物品のうちの少なくとも１つである。いくつかの実施形態において、フレームは両側にある側部部材を含む。いくつかの実施形態において、フレームは両側にある上部部材及び底部部材を含む。いくつかの実施形態において、フレームは両側にある側部部材、並びに両側にある上部部材及び底部部材を含み、両側にある上部部材及び底部部材が各々、両側にある側部部材の各々と概ね垂直に連結する。いくつかの実施形態において、装着装置はフックである。いくつかの実施形態において、付属物が装着装置に嵌め込まれる。いくつかの実施形態において、接着ストリップは両側接着ストリップである。いくつかの実施形態において、接着ストリップは引張剥離接着ストリップである。いくつかの実施形態において、接着ストリップはタブを含む。
【図面の簡単な説明】
【０００７】
【図１】先行技術の取付けアセンブリの分解組立概略図である。
【０００８】
【図２】本開示による、取付けアセンブリの概略図である。
【０００９】
【図３Ａ】動作中である図２の取付けアセンブリの段階的な概略図である。
【図３Ｂ】動作中である図２の取付けアセンブリの段階的な概略図である。
【図３Ｃ】動作中である図２の取付けアセンブリの段階的な概略図である。
【図３Ｄ】動作中である図２の取付けアセンブリの段階的な概略図である。
【図３Ｅ】動作中である図２の取付けアセンブリの段階的な概略図である。
【図３Ｆ】動作中である図２の取付けアセンブリの段階的な概略図である。
【００１０】
【図４】本開示による、別の取付けアセンブリの概略図である。
【００１１】
【図５】本開示による、別の取付けアセンブリの概略図である。
【００１２】
【図６】本開示による、別の取付けアセンブリの概略図である。
【発明を実施するための形態】
【００１３】
本開示の発明者は、例えば家庭用品、装飾品、道具、及び／又は別の装置若しくは物品などの付属物を取付けることができる、取付けアセンブリを発明した。全体的に、取付け装置は、カバープレートと、フレーム（その少なくとも一部はカバープレートに隣接する）と、カバープレートに装着可能な付属物とを含む。フレームは、概ね水平な底部部分又は部材と、両側にある概ね平行で概ね水平な上部部分又は部材を含み、それらは、カバープレートがフレームに取付けられ、かつ壁又は垂直面に取付けられるとき、カバープレートのフレームに対する横方向の動きを協働して制限又は防止する。より具体的には、（カバープレートに装着され、かつ取付けアセンブリが壁に装着又は接着されるとき）フレームの底部及び上部部分又は部材は、カバープレートのフレームに対する横方向の動きを制限又は防止する。底部及び上部部分又は部材の存在により、（ユーザーがまず付属物を取外して、次にカバープレートをバックプレートから取外す必要がある代わりに）単一のステップで壁上のバックプレートから取付けアセンブリを取外せるので、取付けアセンブリを壁又は他の垂直面に、より迅速かつより簡単に適用し、取外すことが容易になる。
【００１４】
本開示の取付け装置の１つの例示的な実施形態が図２に示される。取付けアセンブリ２００は、カバープレート２１０、フレーム２２０、及びカバープレート２１０に装着可能な付属物２３０を含む。図２に示される特定の実施形態において、付属物２３０は石鹸ホルダー又は石鹸皿として示される。当業者は、任意の付属物（例えば家庭用品、装飾品、道具又は様々な他の物品を含む）が、本明細書に記載される教示によって使用され得ることを理解するであろう。例えば図４〜図６に、いくつかの例示的な代替の付属物が示される。
【００１５】
図２に示される特定の実施形態において、フレーム２２０は、両側にある側部部材２２２、２２４、及び両側にある上部部材及び底部部材２２６、２２８を含む。各上部部材及び底部部材２２６、２２８は、側部部材２２２、２２４の各々と概ね垂直に連結する。当業者は、代替のフレーム設計及び構成が使用できることを理解するであろう。例えば、底部部分２２８及び上部部分２２６を除くフレーム２２０のすべての部分は任意選択である。底部部分２２８は（カバープレートに装着され、かつ取付けアセンブリが壁に装着又は接着されたとき）、カバープレート２１０のフレーム２２０に対する横方向の動きを制限又は防止する。したがって、フレームの形状及び設計は、カバープレートがフレームに装着され、かつ取付けアセンブリが壁に装着又は接着されるときに、底部部分２２８が存在してカバープレートのフレーム２２０に対する動きを制限又は防止する限りは、変えてよい。
【００１６】
図２に示される特定の実施形態において、付属物２３０はフック２４０によってカバープレート２１０に装着され、フック２４０はカバープレート２１０と付属物２３０の一部との間のスナップフィット連結を可能にする。当業者は、フック２４０以外の装着機構がカバープレート２１０を付属物２３０に接続又は装着するために使用できることを理解するであろう。代替の装着機構又は手段として、例えば機械式若しくは接着式の装着機構又は手段を挙げることができる。
【００１７】
図２に示される特定の実施形態において、カバープレート２１０は、接着ストリップ２６０に隣接するバックプレート２５０部分と摺動可能に装着又は接続する。このバックプレートの設計及び機能は、その全体が本明細書に参照として組込まれている米国特許第５，５０７，４６４号、及び同第８，９７９，０５４号に、より詳細に示されている。当業者は、バックプレート２５０以外の装着機構が、カバープレート２１０を接着ストリップ２６０に接続又は装着するために使用できることを、理解するであろう。代替の装着機構又は手段として、例えば機械式若しくは接着式の装着機構又は手段を挙げることができる。
【００１８】
接着ストリップ２６０は、例えば引張剥離接着ストリップ、両側接着ストリップなどを含む任意の所望の接着ストリップとすることができる。（両面接着ストリップとも称される）両側接着ストリップは、両側にある両主表面に感圧性接着機能を備える任意の好適なシート、フィルム、層などを含むことができる。両面接着剤は、固着面に接触され、固着されるのに好適な、別個の接着シート片を得ることのできる、シート、テープ、巻き製品等の形態で利用できる、任意の好適な接着剤を含むことができる。したがって、好適な接着剤として、当該技術分野においてよく知られている、両面テープ、貼合せ用接着剤、両面フォームテープ、などが挙げられる。
【００１９】
いくつかの実施形態において、接着ストリップは引張剥離接着剤を含む。そのような引張剥離特性によって、接着剤が表面にしっかりと貼付けられ、表面の目に見える傷なく、又は表面に接着性残留物を残すことなく、後で表面から取外すことができる。例示的で好適な引張剥離接着剤は、弾性のバッキング、又は高度に延伸性があり実質的に非弾性のバッキングを、それらの上に感圧性接着剤を配設して（例えば、塗布して）含むことができる。あるいは引張剥離接着剤は、固形状の弾性的な感圧性接着剤から形成され得る。したがって、この状況において、引張剥離接着剤という用語は、単一、一体、又は固形構造の接着剤を含む製品を（接着剤が上に存在する別の層を有するバッキングを備えた製品に加えて）包含する。好適で例示的な引張剥離接着剤が、Ｋｏｒｐｍａｎへの米国特許第４，０２４，３１２号、独国特許第３３３１０１６号、Ｋｒｅｃｋｅｌらへの米国特許第５，５１６，５８１号、及びＢｒｉｅｓらへの国際特許ＷＯ９５／０６６９１に記載されており、それらはすべて参照として本明細書に組込まれている。そのような引張剥離接着剤は、例えば、厚さが約０．２ｍｍ〜厚さ約２ｍｍの範囲に及ぶ場合がある。
【００２０】
取付けシステムが湿度の高い環境で取付けられる実施形態（例えば付属物をシャワー、タブ、バスルーム内で取付ける場合）においては、引張剥離接着剤の組成は、湿気のある場所で適切な接着を維持するように選ぶことができる。
【００２１】
いくつかの実施形態において、引張剥離接着剤はプルタブ部（例えば、接着剤を含まないタブの端部）を含む。つまみ部は、取付けアセンブリ（又はその一部）を壁から取外したいときに、ユーザーが把持して引っ張ることによって接着剤の引張剥離特性を機能させることができる。
【００２２】
接着剤の単一の切片又は複数の切片が使用され得る。２つの（又はそれより多い）切片が使用される場合、それらの切片は互いに接触しないように固着され得る。代替的に、２つの（又はそれより多い）切片が使用される場合、それらの切片は互いに接触してもよく、又は互いに直接隣接してもよい。
【００２３】
図２の取付けアセンブリ２００の部品の組立てが、図３Ａ〜図３Ｆに概略で示される。図２の取付けアセンブリ２００の部品間の相互連結が、図３Ａ〜図３Ｆに概略的に示される。
【００２４】
図３Ａに示されるように、ユーザーはカバープレート２１０を動かして、付属物２３０の一部をフック２４０にフィットさせるように、又は嵌め込むように、付属物２３０と係合させる。
【００２５】
図３Ｂに示されるように、ユーザーは付属物２３０及びカバープレート２１０が嵌るまで、カチッと音がするまで、又は完全に係合するまで、付属物２３０及びカバープレートを互いに押圧する。いくつかの実施形態において、完全に係合すると、フック２４０は付属物２３０をしっかりと所定の位置に保持し、付属物２３０の垂直、水平、及び回転の動きを最小にする。
【００２６】
図３Ｃに示されるように、次にユーザーは、カバープレート２１０を、フレーム２２０と概ね同一面になるまで（図３Ｄに示されるように）回転させる。カバープレートは、好ましくはフレーム２２０の上部及び底部部分又は部材２２６、２２８と同一面である。
【００２７】
次にユーザーは、カバープレート２１０をバックプレート２５０に摺動させるか、又は他の方法でバックプレート上に装着する。図３Ｅは、図３Ｄの構成を後側から見た図を示し、具体的にはカバープレート２１０がバックプレート２５０に接着又は装着されているところを示す。また図３Ｅは、バックプレート２５０に接着又は装着されている、１つ以上の両側接着ストリップ２６０を示す。接着ストリップ２６０は、カバープレート２１０（及び最終的には取付けアセンブリ２００）を壁又は垂直面に取付けるか、接着するか、又は装着する。接着ストリップ２６０は、本明細書でより詳細に記載されるように、任意の所望の接着ストリップ製品又は配合物であってよい。
【００２８】
最後に図３Ｆに示されるように、ユーザーはライナーを接着ストリップ２６０から取除き、取付けアセンブリ全体を垂直面又は壁（の上又は隣）と係合（例えば押圧して）させる。接着ストリップ２６０は、取付けアセンブリ全体が、壁又は垂直面に取付けられるのに十分な強度で接着する。
【００２９】
カバープレート２１０及びバックプレート２５０のアセンブリが接着ストリップ２６０によって壁に装着されると、カバープレート２１０はフック２４０のところでフレームに対して回転しなくなり、したがってフレーム２２０及びカバープレート２１０を一緒に効果的に係止する。
【００３０】
この方法において、取付けアセンブリの部品は、互いに壁に装着、取外し、及び／又は再装着できる。
【００３１】
取付けアセンブリを壁から取外すことに関するステップの概要は、以下のとおりである。まず、ユーザーは付属物又はフレームの底部若しくは側部部材のいずれかを持ち、カバープレートを摺動させてバックプレートから外す。次にユーザーは、バックプレートを壁に接着又は装着するために使用された特定のタイプの接着ストリップの方向に従って、バックプレートを壁から取外す。これで取外しプロセスは終わりである。
【００３２】
本開示の取付けアセンブリの利益の１つは、代替の取付けアセンブリよりもより迅速に、簡単に、かつ直感的に取外すことができることである。いくつかの実施形態において、本開示の取付けアセンブリは、より少ないステップで取外すことができる。具体的には、付属物及びカバープレートは同時に（単一のユニットとして）バックプレートから（摺動させて）取外すことができる。これによって、付属物をカバープレートから取外すステップがなくなる。
【００３３】
更に、多くのユーザーは、取付けアセンブリを迅速に取外すときに付属物を掴んで上方に引っ張る傾向がある。他の構成において、この自然で直感的な動作は、付属物のカバープレートからの係合解除をもたらす。この結果、よくても、付属物及びカバープレートを壁に装着されたバックプレートから取外すために２ステップのプロセスとなる。最悪の場合、これによって、装着機構又は装着機構に装着された付属物の一部を壊す場合があり、それによって器具の再使用性を損なう。本開示の取付けアセンブリは対照的に、ユーザーが設置された付属物を上方に押上げると、常にバックプレートから摺動して外れる。本開示の取付けアセンブリは、カバープレートと付属物との間の装着点において係合解除することはない。その代わりに、取付けアセンブリは、常にカバープレートとバックプレートとの間の装着点において係合解除する。
【００３４】
上記で述べたように、本明細書に全体的に記載されるこのタイプの取付けアセンブリで使用される付属物は様々であってよい。図４〜図６は、本明細書で記載されるタイプの取付けアセンブリと共に、又は取付けアセンブリの中で使用できる、様々な例示的で代替の付属物を示す。
【００３５】
全体的に、本開示のカバープレート及び取付けアセンブリの付属物は、取外し可能な方法で互いに装着可能である。本開示において、「取外し可能に装着可能」という用語は、付属物及びカバープレートが互いに装着でき、互いから分離でき、互いに（例えば複数回）再装着できることを意味する。
【００３６】
いくつかの実施形態において、カバープレート及び付属物は、偏向可能な方法で互いに装着可能である。本開示において、「偏向可能に装着可能」という用語は、カバープレートと付属物が互いに装着（例えば連結）されたとき、互いから外れることなく、互いに対して少なくとも僅かに曲げられる（例えば動かせる）ことを意味する。いくつかの実施形態において、取付けアセンブリの全体が壁に装着されている状態で、付属物の少なくとも一部を壁に対して少なくとも僅かに動かすことが可能であり、一方でカバープレートと付属物との間の装着を維持する。
【００３７】
様々な図面において、類似参照記号は類似する要素を表す。特に指定されない限り、本文献におけるすべての図面及び図は、一定の縮尺ではなく、本発明の異なる実施形態を例示する目的で選択される。特に、様々な構成要素の寸法は、指示のない限り、例示的な用語としてのみ記述され、様々な構成要素の寸法間の関係は、図面から推測されるべきではない。
【００３８】
「上部」、「底部」、「上側」、「下側」、「下」、「上」、「前」、「後ろ」、「外側に」、「内側に」、「上に」、「下に」、並びに「第１」及び「第２」などの用語が、本開示において使用され得るが、特に明記されていない限り、それらの用語は相対的な意味でしか使用されていないことを理解すべきである。
【００３９】
本明細書で使われる「壁」という用語は、実質的に垂直である物に限定されず、及び／又は、例えば建物の壁を含む物に限定されない。したがって、本明細書で使われる「壁」という用語は、天井、棚などの物を含包する。
【００４０】
上記の実施形態及び実施例の詳細には、本発明の基礎をなす原理から逸脱することなく多くの変更を加えることができる点は当業者に理解されるであろう。更に、本開示に対する様々な改変及び変形が、本開示の趣旨及び範囲から逸脱することなく当業者にとって明らかとなろう。したがって、本願の範囲は、以下の「特許請求の範囲」によってのみ定められるべきものである。
【図１】
2018521273.tif 000003
【図２】
2018521273.tif 000004
【図３Ａ】
2018521273.tif 000005
【図３Ｂ】
2018521273.tif 000006
【図３Ｃ】
2018521273.tif 000007
【図３Ｄ】
2018521273.tif 000008
【図３Ｅ】
2018521273.tif 000009
【図３Ｆ】
2018521273.tif 000010
【図４】
2018521273.tif 000011
【図５】
2018521273.tif 000012
【図６】
2018521273.tif 000013
【国際調査報告】
2018521273.tif 000014
2018521273.tif 000015